(57)【要約】  【課題】  他人に見られたくない映像を保護する機能を有する光ディスク記録再生装置を提供する。  【解決手段】  スクランブルに関する情報を光ディスクに記録させたい場合、スクランブルされたデータの復号方法と該復号方法により復号を行うためのパスワードとスクランブルを行っているタイトルナンバーとを、光ディスクのリードアウト外領域に記録する。該当タイトルの再生開始前にリードアウト外領域をアクセスしてデータが存在した場合に、スクランブルを行っているタイトルナンバーがリードアウト外領域から読み出され、再生しようとするタイトルが該当タイトルであった場合、該当タイトルの再生開始時にパスワードが、リードアウト外領域から読み出され、入力されたパスワードと一致した場合、スクランブルされたデータがリードアウト外領域から読み出された復号方法により復号される。【選択図】      図３
2006236537.tif 000002
【特許請求の範囲】
【請求項１】
光ディスクに対して情報の記録／再生を行う光ディスク記録再生装置において、他人に
見られたくない映像を保護するためにデータにスクランブルをかけるためのスクランブル
に関する情報を当該光ディスクに記録させたい場合に、前記スクランブルに関する情報と
しての前記スクランブルされたデータの復号方法と該復号方法により復号を行うためのパ
スワードと前記スクランブルを行っているタイトルナンバーとを当該光ディスクのリード
アウト外領域に記録させるリードアウト外領域記録手段と、装填された光ディスクに対し
て該当タイトルの再生開始前に、その装填光ディスクのリードアウト外領域をアクセスし
てリードアウト外領域にデータが存在するか否かを判定するデータ存在判定手段と、前記
データが存在すると判定された場合に、スクランブルを行っているタイトルナンバーを前
記リードアウト外領域から読み出してバッファメモリに格納させるタイトルナンバー格納
手段と、前記バッファメモリに格納されたタイトルナンバーを認識することにより再生し
ようとするタイトルが該当タイトルであるか否かを判定するタイトル判定手段と、前記再
生しようとするタイトルが該当タイトルであると判定された場合に、該当タイトルの再生
開始時にパスワードを前記リードアウト外領域から読み出して、該パスワードと入力され
たパスワードとが一致するか否かを判定するパスワード判定手段と、前記リードアウト外
領域から読み出されたパスワードと前記入力されたパスワードとが一致した場合に、前記
リードアウト外領域から復号方法を読み出して前記スクランブルされたデータを前記復号
方法により復号する復号手段と、前記スクランブルされたデータが復号された後、該当タ
イトルの再生を開始させる再生開始手段とを有するシステムコントローラを備えたことを
特徴とする光ディスク記録再生装置。
【請求項２】
光ディスクに対して情報の記録／再生を行う光ディスク記録再生装置において、他人に
見られたくない映像を保護するためにデータにスクランブルをかけるためのスクランブル
に関する情報を当該光ディスクに記録させたい場合に、前記スクランブルに関する情報と
しての前記スクランブルされたデータの復号方法と該復号方法により復号を行うためのパ
スワードと前記スクランブルを行っているタイトルナンバーとを、当該光ディスクのリー
ドアウト外領域に記録させるシステムコントローラを備えたことを特徴とする光ディスク
記録再生装置。
【請求項３】
光ディスクに対して情報の記録／再生を行う光ディスク記録再生装置において、他人に
見られたくない映像を保護するためにデータにスクランブルをかけるためのスクランブル
に関する情報を当該光ディスクに記録させたい場合に、前記スクランブルに関する情報と
しての前記スクランブルされたデータの復号方法と該復号方法により復号を行うためのパ
スワードと前記スクランブルを行っているタイトルナンバーとを当該光ディスクのリード
アウト外領域に記録させ、装填された光ディスクに対して該当タイトルの再生開始前に、
その装填光ディスクのリードアウト外領域をアクセスしてデータが存在した場合に、タイ
トルナンバーを前記リードアウト外領域から読み出して、前記タイトルナンバーを認識す
ることにより再生しようとするタイトルが、該当タイトルである場合に、該当タイトルの
再生開始時にパスワードを前記リードアウト外領域から読み出して、該パスワードと入力
されたパスワードとが一致した場合に、前記リードアウト外領域から復号方法を読み出し
て前記スクランブルされたデータを前記復号方法により復号し、該当タイトルの再生を開
始させるシステムコントローラを備えたことを特徴とする光ディスク記録再生装置。
【請求項４】
前記システムコントローラは、他人に見られたくない映像を保護するためにデータにス
クランブルをかけるためのスクランブルに関する情報を当該光ディスクに記録させたい場
合に、前記スクランブルに関する情報としての前記スクランブルされたデータの復号方法
と該復号方法により復号を行うためのパスワードと前記スクランブルを行っているタイト
ルナンバーとを当該光ディスクのリードアウト外領域に記録させるリードアウト外領域記
録手段と、装填された光ディスクに対して該当タイトルの再生開始前に、その装填光ディ
スクのリードアウト外領域をアクセスしてリードアウト外領域にデータが存在するか否か
を判定するデータ存在判定手段と、前記データが存在すると判定された場合に、スクラン
ブルを行っているタイトルナンバーを前記リードアウト外領域から読み出してバッファメ
モリに格納させるタイトルナンバー格納手段と、前記バッファメモリに格納されたタイト
ルナンバーを認識することにより再生しようとするタイトルが該当タイトルであるか否か
を判定するタイトル判定手段と、前記再生しようとするタイトルが該当タイトルであると
判定された場合に、該当タイトルの再生開始時にパスワードを前記リードアウト外領域か
ら読み出して、該パスワードと入力されたパスワードとが一致するか否かを判定するパス
ワード判定手段と、前記リードアウト外領域から読み出されたパスワードと前記入力され
たパスワードとが一致した場合に、前記リードアウト外領域から復号方法を読み出して前
記スクランブルされたデータを前記復号方法により復号する復号手段と、前記スクランブ
ルされたデータが復号された後、該当タイトルの再生を開始させる再生開始手段とを有す
ることを特徴とする請求項３に記載の光ディスク記録再生装置。
【発明の詳細な説明】
【技術分野】
【０００１】
本発明は、光ディスクに対して情報の記録／再生を行う光ディスク記録再生装置に関し
、特に、他人に見られたくない映像を保護するためにデータにスクランブルをかける機能
を有する光ディスク記録再生装置に関する。
【背景技術】
【０００２】
近年普及してきている光ディスクとしてのＤＶＤ（デジタル・バーサタイル・ディスク
）は、映画などのような情報量の多い映像音声情報を記録するのに用いられていることが
多い。このようなＤＶＤの種類としては、メーカ側で情報が記録されてユーザ側では書き
換えができないタイプのＤＶＤ―ＲＯＭディスクや、ユーザ側で書き込み可能なタイプの
ＤＶＤ−Ｒディスクや、同じくユーザ側で書き換え可能なタイプのＤＶＤ−ＲＷディスク
やＤＶＤ−ＲＡＭディスクなどが知られている。
【０００３】
ところで、このような光ディスクに記録された映像音声情報の著作権保護のため、コピ
ー防止を行う再生専用ディスクに対しては、ＣＰＰＭ（Content Protection for Pre-rec
orded Media）のコンテンツ保護方式などが採用され、記録可能ディスクに対しては、Ｃ
ＰＲＭ（Content Protection for Ｒecordable Media）のコンテンツ保護方式などが採用
されている。
【０００４】
また、書き込み可能あるいは書き換え可能な光ディスクにおいては、映像や音声などの
データは、ＣＳＳ（Contents Scrambling System）と呼ぶコンテンツ固有の識別情報で主
データを暗号化するシステムが採用されており、そのデータは暗号化されて主情報領域に
記録される。そして、主情報領域の暗号を解くための鍵情報（パスワード）を含む物理フ
ォーマット情報およびディスク製造情報は、光ディスクの内周部側のリードイン領域に有
るコントロールデータ領域に記録されており、それらの情報の再生は、光ディスク記録再
生装置内のシステムコントローラの指示に従って光ピックアップを光ディスクの内周部側
の部位に移動させて行っている。
【０００５】
そして、光ピックアップによりコントロールデータ領域の鍵情報が検知されると、シス
テムコントローラは光ピックアップを光ディスクの外周部側の部位に移動させ、光ピック
アップは、光ディスクの主情報領域に記録されている映像音声情報を読み出す。この映像
音声情報は、暗号化されているので、先に読み出されてコントロールデータ領域に記録さ
れていた鍵情報を用いて主情報領域の映像音声情報の暗号を解き、元の正常な映像や音声
データを再構築する。
【特許文献１】特開２０００−１５５９４３号公報
【特許文献２】特開２００３−２２８９０９号公報
【特許文献３】特開２００４−３０３３２１号公報
【発明の開示】
【発明が解決しようとする課題】
【０００６】
しかしながら、従来の光ディスク記録再生装置では、ユーザの操作によって映像などを
記録した光ディスクの中で、ユーザ以外の他人に見られたくない映像の部分にスクランブ
ルをかける場合は、当該光ディスクのリードイン領域にスクランブル情報を記録させるこ
とになるが、この場合、リードイン領域は規格上の領域であり、当該光ディスクのデータ
構造に影響を与えることになるので、当該光ディスクを他の光ディスク記録再生装置（Ｄ
ＶＤレコーダ）や光ディスク再生装置（ＤＶＤプレイヤ）で再生した場合、スクランブル
をかけていないタイトルの再生を行った時に映像に悪影響を与えるという課題がある。
【０００７】
特許文献１の従来技術では、書き込み済みデータエリア、未記録のファイル情報エリア
を有し、パスワードが規格外の位置に記録されている光記録媒体に対して、パスワード記
録位置をアクセスしてパスワードを再生し、このパスワードと外部の装置より入力された
パスワードとが一致したときに光記録媒体にファイル情報を記録する手段を有し、光記録
媒体にファイル情報を記録した後に光記録媒体に対する情報再生を可能にしている。しか
しながら、規格外の位置（リードアウト外領域）にパスワードを記録させているが、デー
タ自体に暗号をかけてなくてパスワードでデータを読み出す許可をしているだけで、デー
タ自体の保護精度が低いという課題がある。
【０００８】
特許文献２の従来技術では、記録した光ディスクに対してホストからの保護コマンドに
より、光ディスクのユーザエリア外の記録エリア（リードイン領域のコントロールデータ
領域）のディスク識別コードを暗号化し、保護解除コマンドにより暗号化を解除するよう
にしている。しかしながら、この従来技術も、当該光ディスクのリードイン領域にスクラ
ンブルに関する情報を記録させることになって、当該光ディスクのデータ構造に影響を与
えることになるので、当該光ディスクを他の光ディスク記録再生装置で再生した場合、ス
クランブルをかけていないタイトルの再生を行った時に映像に悪影響を与えるという課題
がある。
【０００９】
特許文献３の従来技術では、パソコンのアプリケーションに依存しない形で、再生専用
領域および記録可能領域を共に備えた情報記録媒体の前記再生専用領域に、データファイ
ルを暗号化する暗号化ソフトウェアおよび復号化する復号化ソフトウェアと、当該情報記
録媒体を不正なコピーから守る認証ソフトウェアとを予め記録形成しておき、ユーザの希
望するデータファイルを前記記録可能領域内に記録するときは、同一情報記録媒体内の前
記暗号化ソフトウェアで前記記録可能領域に暗号化データファイルとして記録し、また、
暗号化して記録されているデータファイルの復号は同一情報記録媒体内の前記復号化ソフ
トウェアを用いて行うようにしている。しかしながら、暗号化用ソフトウェアと復号化ソ
フトウェアと認証ソフトウェアによる処理が複雑化し、また、それらのシフトウェアを光
ディスクに記録させるため、本来のデータを記録する領域が少なくなり、光ディスクを有
効に使用できないという課題がある。
【００１０】
本発明は、上記のような課題を解決するためになされたもので、他人に見られたくない
映像を保護するためにデータにスクランブルをかけるためのスクランブルに関する情報を
当該光ディスクに記録させたい場合に、前記スクランブル情報と該スクランブル情報の復
号方法と該復号方法により前記スクランブル情報の復号を行うためのパスワードとスクラ
ンブルを行っているタイトルナンバーとを当該光ディスクのリードアウト外領域に記録さ
せる機能を有する光ディスク記録再生装置を提供することを目的とする。
【課題を解決するための手段】
【００１１】
上記目的を達成するために、請求項１の発明は、他人に見られたくない映像を保護する
ためにデータにスクランブルをかけるためのスクランブルに関する情報を当該光ディスク
に記録させたい場合に、前記スクランブルに関する情報としての前記スクランブルされた
データの復号方法と該復号方法により復号を行うためのパスワードと前記スクランブルを
行っているタイトルナンバーとを当該光ディスクのリードアウト外領域に記録させるリー
ドアウト外領域記録手段と、装填された光ディスクに対して該当タイトルの再生開始前に
、その装填光ディスクのリードアウト外領域をアクセスしてリードアウト外領域にデータ
が存在するか否かを判定するデータ存在判定手段と、前記データが存在すると判定された
場合に、スクランブルを行っているタイトルナンバーを前記リードアウト外領域から読み
出してバッファメモリに格納させるタイトルナンバー格納手段と、前記バッファメモリに
格納されたタイトルナンバーを認識することにより再生しようとするタイトルが該当タイ
トルであるか否かを判定するタイトル判定手段と、前記再生しようとするタイトルが該当
タイトルであると判定された場合に、該当タイトルの再生開始時にパスワードを前記リー
ドアウト外領域から読み出して、該パスワードと入力されたパスワードとが一致するか否
かを判定するパスワード判定手段と、前記リードアウト外領域から読み出されたパスワー
ドと前記入力されたパスワードとが一致した場合に、前記リードアウト外領域から復号方
法を読み出して前記スクランブルされたデータを前記復号方法により復号する復号手段と
、前記スクランブルされたデータが復号された後、該当タイトルの再生を開始させる再生
開始手段とを有するシステムコントローラを備えたことを特徴とする光ディスク記録再生
装置を提供する。
【００１２】
この構成において、他人に見られたくない映像を保護するためにデータにスクランブル
をかけるためのスクランブルに関する情報を当該光ディスクに記録させたい場合に、前記
スクランブルに関する情報としての前記スクランブルされたデータの復号方法と該復号方
法により復号を行うためのパスワードと前記スクランブルを行っているタイトルナンバー
とは、リードアウト外領域記録手段により当該光ディスクのリードアウト外領域に記録さ
れる。
【００１３】
そして、装填された光ディスクに対して該当タイトルの再生開始前に、その装填光ディ
スクのリードアウト外領域をアクセスして、リードアウト外領域にデータが存在するとデ
ータ存在判定手段により判定された場合に、スクランブルを行っているタイトルナンバー
が、タイトルナンバー格納手段によりリードアウト外領域から読み出され、バッファメモ
リに格納される。
【００１４】
バッファメモリに格納されたタイトルナンバーが認識され、再生しようとするタイトル
が該当タイトルであるとタイトル判定手段により判定され、該当タイトルの再生開始時に
、パスワード判定手段により、パスワードがリードアウト外領域から読み出され、入力さ
れたパスワードと一致したと判定された場合に、復号手段により、リードアウト外領域か
ら復号方法が読み出され、前記スクランブルされたデータが前記復号方法に基づいて復号
される。前記スクランブルされたデータが復号された後は、該当タイトルの再生が再生開
始手段により開始される。
【００１５】
この構成によれば、スクランブルに関する情報を規格上使用されないリードアウト外領
域に記録するため、データ構造に影響を与えることがなく、ユーザ以外の他人に見られた
くない映像を保護することができ、しかも、スクランブルに関するデータも暗号化される
ので、保護の精度が高くて、ユーザにとっては信頼性が高くなる。また、スクランブルを
かけているタイトルを他の光ディスク記録再生装置や光ディスク再生装置で再生しても正
常な映像が再生されないだけであり、スクランブルをかけていないタイトルの再生を他の
光ディスク記録再生装置や光ディスク再生装置で行った時に映像に悪影響を与えないので
、ユーザにとっては使い勝手が良いものとなる。また、スクランブルに関する情報を規格
上使用されないリードアウト外領域に記録するため、規格上使用される領域を有効に使用
できる。
【００１６】
請求項２の発明は、他人に見られたくない映像を保護するためにデータにスクランブル
をかけるためのスクランブルに関する情報を当該光ディスクに記録させたい場合に、前記
スクランブルに関する情報としての前記スクランブルされたデータの復号方法と該復号方
法により復号を行うためのパスワードと前記スクランブルを行っているタイトルナンバー
とを、当該光ディスクのリードアウト外領域に記録させるシステムコントローラを備えた
ことを特徴とする光ディスク記録再生装置を提供する。
【００１７】
この構成において、他人に見られたくない映像を保護するためにデータにスクランブル
をかけるためのスクランブルに関する情報を当該光ディスクに記録させたい場合に、前記
スクランブルに関する情報としての前記スクランブルされたデータの復号方法と該復号方
法により復号を行うためのパスワードと前記スクランブルを行っているタイトルナンバー
とは、当該光ディスクのリードアウト外領域に記録される。
【００１８】
この構成によれば、スクランブルに関する情報を規格上使用されないリードアウト外領
域に記録するため、データ構造に影響を与えることがなく、ユーザ以外の他人に見られた
くない映像を保護することができ、しかも、スクランブルに関するデータも暗号化される
ので、保護の精度が高くて、ユーザにとっては信頼性が高くなる。また、スクランブルを
かけているタイトルを他の光ディスク記録再生装置や光ディスク再生装置で再生しても正
常な映像が再生されないだけであり、スクランブルをかけていないタイトルの再生を他の
光ディスク記録再生装置や光ディスク再生装置で行った時に映像に悪影響を与えないので
、ユーザにとっては使い勝手が良いものとなる。また、スクランブルに関する情報を規格
上使用されないリードアウト外領域に記録するため、規格上使用される領域を有効に使用
できる。
【００１９】
請求項３の発明は、他人に見られたくない映像を保護するためにデータにスクランブル
をかけるためのスクランブルに関する情報を当該光ディスクに記録させたい場合に、前記
スクランブルに関する情報としての前記スクランブルされたデータの復号方法と該復号方
法により復号を行うためのパスワードと前記スクランブルを行っているタイトルナンバー
とを当該光ディスクのリードアウト外領域に記録させ、装填された光ディスクに対して該
当タイトルの再生開始前に、その装填光ディスクのリードアウト外領域をアクセスしてデ
ータが存在した場合に、タイトルナンバーを前記リードアウト外領域から読み出して、前
記タイトルナンバーを認識することにより再生しようとするタイトルが、該当タイトルで
ある場合に、該当タイトルの再生開始時にパスワードを前記リードアウト外領域から読み
出して、該パスワードと入力されたパスワードとが一致した場合に、前記リードアウト外
領域から復号方法を読み出して前記スクランブルされたデータを前記復号方法により復号
し、該当タイトルの再生を開始させるシステムコントローラを備えたことを特徴とする光
ディスク記録再生装置を提供する。
【００２０】
この構成において、他人に見られたくない映像を保護するためにデータにスクランブル
をかけるためのスクランブルに関する情報を当該光ディスクに記録させたい場合に、前記
スクランブルに関する情報としての前記スクランブルされたデータの復号方法と該復号方
法により復号を行うためのパスワードと前記スクランブルを行っているタイトルナンバー
とは、当該光ディスクのリードアウト外領域に記録される。
【００２１】
そして、装填された光ディスクに対して該当タイトルの再生開始前に、その装填光ディ
スクのリードアウト外領域をアクセスして、リードアウト外領域にデータが存在した場合
に、スクランブルを行っているタイトルナンバーが、リードアウト外領域から読み出され
て認識され、再生しようとするタイトルが該当タイトルであった場合、該当タイトルの再
生開始時に、パスワードが、リードアウト外領域から読み出され、入力されたパスワード
と一致した場合に、リードアウト外領域から復号方法が読み出され、前記スクランブルさ
れたデータが前記復号方法に基づいて復号される。前記スクランブルされたデータが復号
された後は、該当タイトルの再生が開始される。
【００２２】
この構成によれば、スクランブルに関する情報を規格上使用されないリードアウト外領
域に記録するため、データ構造に影響を与えることがなく、ユーザ以外の他人に見られた
くない映像を保護することができ、しかも、スクランブルに関するデータも暗号化される
ので、保護の精度が高くて、ユーザにとっては信頼性が高くなる。また、スクランブルを
かけているタイトルを他の光ディスク記録再生装置や光ディスク再生装置で再生しても正
常な映像が再生されないだけであり、スクランブルをかけていないタイトルの再生を他の
光ディスク記録再生装置や光ディスク再生装置で行った時に映像に悪影響を与えないので
、ユーザにとっては使い勝手が良いものとなる。また、スクランブルに関する情報を規格
上使用されないリードアウト外領域に記録するため、規格上使用される領域を有効に使用
できる。
【００２３】
請求項４の発明では、請求項３の発明において、前記システムコントローラは、他人に
見られたくない映像を保護するためにデータにスクランブルをかけるためのスクランブル
に関する情報を当該光ディスクに記録させたい場合に、前記スクランブルに関する情報と
しての前記スクランブルされたデータの復号方法と該復号方法により復号を行うためのパ
スワードと前記スクランブルを行っているタイトルナンバーとを当該光ディスクのリード
アウト外領域に記録させるリードアウト外領域記録手段と、装填された光ディスクに対し
て該当タイトルの再生開始前に、その装填光ディスクのリードアウト外領域をアクセスし
てリードアウト外領域にデータが存在するか否かを判定するデータ存在判定手段と、前記
データが存在すると判定された場合に、スクランブルを行っているタイトルナンバーを前
記リードアウト外領域から読み出してバッファメモリに格納させるタイトルナンバー格納
手段と、前記バッファメモリに格納されたタイトルナンバーを認識することにより再生し
ようとするタイトルが該当タイトルであるか否かを判定するタイトル判定手段と、前記再
生しようとするタイトルが該当タイトルであると判定された場合に、該当タイトルの再生
開始時にパスワードを前記リードアウト外領域から読み出して、該パスワードと入力され
たパスワードとが一致するか否かを判定するパスワード判定手段と、前記リードアウト外
領域から読み出されたパスワードと前記入力されたパスワードとが一致した場合に、前記
リードアウト外領域から復号方法を読み出して前記スクランブルされたデータを前記復号
方法により復号する復号手段と、前記スクランブルされたデータが復号された後、該当タ
イトルの再生を開始させる再生開始手段とを有する。
【００２４】
したがって、システムコントローラにおいて、リードアウト外領域記録処理、データ存
在判定処理、タイトルナンバー格納処理、タイトル判定処理、パスワード判定処理、復号
処理、および再生開始処理を実現することができ、これにより、スクランブルに関する情
報を規格上使用されないリードアウト外領域に記録することができ、データ構造に影響を
与えることがなく、再生が可能になる。
【発明の効果】
【００２５】
以上のように本発明によれば、他人に見られたくない映像を保護するためにデータにス
クランブルをかけるためのスクランブルに関する情報を当該光ディスクに記録させたい場
合に、前記スクランブルに関する情報としての前記スクランブルされたデータの復号方法
と該復号方法により復号を行うためのパスワードと前記スクランブルを行っているタイト
ルナンバーとを当該光ディスクのリードアウト外領域に記録させるリードアウト外領域記
録手段と、装填された光ディスクに対して該当タイトルの再生開始前に、その装填光ディ
スクのリードアウト外領域をアクセスしてリードアウト外領域にデータが存在するか否か
を判定するデータ存在判定手段と、前記データが存在すると判定された場合に、スクラン
ブルを行っているタイトルナンバーを前記リードアウト外領域から読み出してバッファメ
モリに格納させるタイトルナンバー格納手段と、前記バッファメモリに格納されたタイト
ルナンバーを認識することにより再生しようとするタイトルが該当タイトルであるか否か
を判定するタイトル判定手段と、前記再生しようとするタイトルが該当タイトルであると
判定された場合に、該当タイトルの再生開始時にパスワードを前記リードアウト外領域か
ら読み出して、該パスワードと入力されたパスワードとが一致するか否かを判定するパス
ワード判定手段と、前記リードアウト外領域から読み出されたパスワードと前記入力され
たパスワードとが一致した場合に、前記リードアウト外領域から復号方法を読み出して前
記スクランブルされたデータを前記復号方法により復号する復号手段と、前記スクランブ
ルされたデータが復号された後、該当タイトルの再生を開始させる再生開始手段とを有す
るシステムコントローラを備えたので、スクランブルに関する情報を規格上使用されない
リードアウト外領域に記録することができ、これにより、データ構造に影響を与えること
がなく、ユーザ以外の他人に見られたくない映像を保護することができ、しかも、スクラ
ンブルに関するデータも暗号化されるので、保護の精度が高くて、ユーザにとっては信頼
性が高くなる。また、スクランブルをかけているタイトルを他の光ディスク記録再生装置
や光ディスク再生装置で再生しても正常な映像が再生されないだけであり、スクランブル
をかけていないタイトルの再生を他の光ディスク記録再生装置や光ディスク再生装置で行
った時に悪影響を与えないので、ユーザにとっては使い勝手が良いものとなる。また、ス
クランブルに関する情報を規格上使用されないリードアウト外領域に記録するため、規格
上使用される領域を有効に使用できる。
【００２６】
また、本発明によれば、他人に見られたくない映像を保護するためにデータにスクラン
ブルをかけるためのスクランブルに関する情報を当該光ディスクに記録させたい場合に、
前記スクランブルに関する情報としての前記スクランブルされたデータの復号方法と該復
号方法により復号を行うためのパスワードと前記スクランブルを行っているタイトルナン
バーとを、当該光ディスクのリードアウト外領域に記録させるシステムコントローラを備
えたので、スクランブルに関する情報を規格上使用されないリードアウト外領域に記録す
ることができ、これにより、データ構造に影響を与えることがなく、ユーザ以外の他人に
見られたくない映像を保護することができ、しかも、スクランブルに関するデータも暗号
化されるので、保護の精度が高くて、ユーザにとっては信頼性が高くなる。また、スクラ
ンブルをかけているタイトルを他の光ディスク記録再生装置や光ディスク再生装置で再生
しても正常な映像が再生されないだけであり、スクランブルをかけていないタイトルの再
生を他の光ディスク記録再生装置や光ディスク再生装置で行った時に映像に悪影響を与え
ないので、ユーザにとっては使い勝手が良いものとなる。また、スクランブルに関する情
報を規格上使用されないリードアウト外領域に記録するため、規格上使用される領域を有
効に使用できる。
【００２７】
また、本発明によれば、他人に見られたくない映像を保護するためにデータにスクラン
ブルをかけるためのスクランブルに関する情報を当該光ディスクに記録させたい場合に、
前記スクランブルに関する情報としての前記スクランブルされたデータの復号方法と該復
号方法により復号を行うためのパスワードと前記スクランブルを行っているタイトルナン
バーとを当該光ディスクのリードアウト外領域に記録させ、装填された光ディスクに対し
て該当タイトルの再生開始前に、その装填光ディスクのリードアウト外領域をアクセスし
てデータが存在した場合に、タイトルナンバーを前記リードアウト外領域から読み出して
、前記タイトルナンバーを認識することにより再生しようとするタイトルが、該当タイト
ルである場合に、該当タイトルの再生開始時にパスワードを前記リードアウト外領域から
読み出して、該パスワードと入力されたパスワードとが一致した場合に、前記リードアウ
ト外領域から復号方法を読み出して前記スクランブルされたデータを前記復号方法により
復号し、該当タイトルの再生を開始させるシステムコントローラを備えたので、スクラン
ブルに関する情報を規格上使用されないリードアウト外領域に記録することができ、これ
により、データ構造に影響を与えることがなく、ユーザ以外の他人に見られたくない映像
を保護することができ、しかも、スクランブルに関するデータも暗号化されるので、保護
の精度が高くて、ユーザにとっては信頼性が高くなる。また、スクランブルをかけている
タイトルを他の光ディスク記録再生装置や光ディスク再生装置で再生しても正常な映像が
再生されないだけであり、スクランブルをかけていないタイトルの再生を他の光ディスク
記録再生装置や光ディスク再生装置で行った時に映像に悪影響を与えないので、ユーザに
とっては使い勝手が良いものとなる。また、スクランブルに関する情報を規格上使用され
ないリードアウト外領域に記録するため、規格上使用される領域を有効に使用できる。
【発明を実施するための最良の形態】
【００２８】
以下、添付図面を参照しつつ、本発明の実施の形態について説明する。図１は本発明の
一実施形態に係る光ディスク記録再生装置の構成を示すブロック図である。
【００２９】
この光ディスク記録再生装置は、光ディスク１を回転させるスピンドルモータ５と、光
ディスク１に対して情報の書き込み／読み出しを光学的に行う光ピックアップ２と、この
光ピックアップ２を光ディスク１の半径方向に移動させるためのスレッド３と、システム
コントローラ２２の指示に応じてスピンドルモータ５およびスレッド３を駆動すると共に
光ピックアップ２に内蔵された対物レンズ（図示せず）を動かすことによりレーザ光の焦
点位置を光ディスク１の記録面に対して垂直方向および水平方向に移動させる制御を行う
サーボ制御部４とを備えている。
【００３０】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００３１】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００３２】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００３３】
また、この光ディスク記録再生装置は、システムコントローラ２２に対して、記録指示
を与えるための記録キー、再生指示を与えるための再生キー、記録や再生の停止指示を与
えるための停止キーなど、各種操作キーを有するリモコン２１と、装置全体を制御する前
記システムコントローラ２２とを備えている。また、この光ディスク記録再生装置は、装
置の各構成要素を制御したり、装置全体を制御したりするためのプログラムやデータが記
憶されたフラッシュＲＯＭ２３と、このフラッシュＲＯＭ２３のプログラムやデータに従
って演算処理を行いシステムコントローラ２２を制御するＣＰＵ２４と、このＣＰＵ２４
の演算処理に必要なデータを一時的に格納するＲＡＭ２７とを備えている。
【００３４】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号を光ピックアップ２に出力するレーザ変調回路２６とを備えている。
【００３５】
システムコントローラ２２には、本実施形態の特徴とする構成要素として、他人に見ら
れたくない映像を保護するためにデータにスクランブルをかけるためのスクランブルに関
する情報を当該光ディスクに記録させたい場合に、前記スクランブルに関する情報として
の前記スクランブルされたデータの復号方法と該復号方法により復号を行うためのパスワ
ードと前記スクランブルを行っているタイトルナンバーとを当該光ディスクのリードアウ
ト外領域に記録させるリードアウト外領域記録手段２２１とを有する。
【００３６】
また、システムコントローラ２２は、装填された光ディスク１に対して該当タイトルの
再生開始前に、その装填光ディスク１のリードアウト外領域をアクセスしてリードアウト
外領域にデータが存在するか否かを判定するデータ存在判定手段２２２と、前記データが
存在すると判定された場合に、スクランブルを行っているタイトルナンバーを前記リード
アウト外領域から読み出してバッファメモリ２８に格納させるタイトルナンバー格納手段
２２３と、バッファメモリ２８に格納されたタイトルナンバーを認識することにより再生
しようとするタイトルが該当タイトルであるか否かを判定するタイトル判定手段２２４と
を有する。
【００３７】
また、システムコントローラ２２は、前記再生しようとするタイトルが該当タイトルで
あると判定された場合に、該当タイトルの再生開始時にパスワードを前記リードアウト外
領域から読み出して、該パスワードと入力されたパスワードとが一致するか否かを判定す
るパスワード判定手段２２５と、前記リードアウト外領域から読み出されたパスワードと
前記入力されたパスワードとが一致した場合に、前記リードアウト外領域から復号方法を
読み出して前記スクランブルされたデータを前記復号方法により復号する復号手段２２６
と、前記スクランブルされたデータが復号された後、該当タイトルの再生を開始させる再
生開始手段２２７とを有する。なお、前記復号方法とは、例えば、データのビット数が８
ビットであった場合、前半４ビットと後半４ビットとを入れ替えるとか、奇数番目のビッ
トと偶数番目のビットとを入れ替えるとかなど、ビットを入れ替えたデータを元に戻す方
法のことを言う。
【００３８】
図２の本実施形態において書き込み可能または書き換え可能な光ディスクの記録状態を
示す模式図である。図２において、この光ディスクは、内周から外周にかけて規格上使用
されるリードイン領域２０１とユーザデータ領域２０２とリードアウト領域２０３を有し
、また、規格上使用されないリードアウト外領域２０４を有する。
【００３９】
リードイン領域２０１には、ディスク規格名、ディスクサイズ、ディスク構造、記録密
度、回転数、記録パワーなどの制御情報が記録されている。ユーザデータ領域２０２には
、ユーザが所望する映像音声データが記録される。リードアウト領域２０３は、ユーザデ
ータ領域２０２に記録された映像音声データのファイナライズを示す領域である。リード
アウト外領域２０４には、スクランブルに関する情報としての前記スクランブルされたデ
ータの復号方法と該復号方法により復号を行うためのパスワードと前記スクランブルを行
っているタイトルナンバーとが記録される。
【００４０】
図３は本実施形態においてスクランブルに関する処理を説明するためのフローチャート
である。このフローチャートを参照してスクランブルに関する処理について説明する。
【００４１】
他人に見られたくない映像を保護するためにデータにスクランブルをかけるためのスク
ランブルに関する情報を光ディスク１に記録させたい場合に（ステップＳ１）、前記スク
ランブルに関する情報としての前記スクランブルされたデータの復号方法と該復号方法に
より復号を行うためのパスワードと前記スクランブルを行っているタイトルナンバーとは
、光ディスク１のリードアウト外領域２０４に記録される（ステップＳ２）。
【００４２】
即ち、他人に見られたくない映像を保護するためにデータにスクランブルをかけるため
、ユーザによるリモコン２１の操作に応答して、システムコントローラ２２のリードアウ
ト外領域記録手段２２１は、サーボ制御部４を介して光ピックアップ２を制御し、光ピッ
クアップ２を光ディスク１のリードアウト外領域２０４にレーザ光が照射するように移動
させ、前記スクランブルに関する情報としての前記スクランブルされたデータの復号方法
と該復号方法により復号を行うためのパスワードと前記スクランブルを行っているタイト
ルナンバーとをリードアウト外領域２０４に記録させる。したがって、この光ディスク１
は、スクランブルのかけられたデータが存在する光ディスクとなり、この光ディスク記録
再生装置から一旦取り出されたと仮定する。
【００４３】
そして、例えば、後日、その光ディスク１を、この光ディスク記録再生装置に装填し、
リモコン２１の操作により再生モードにすると、本編情報の再生開始前に、システムコン
トローラ２２のデータ存在判定手段２２２は、サーボ制御部４を介して光ピックアップ２
を移動させ、その装填された光ディスク１のリードアウト外領域２０４をアクセスして、
リードアウト外領域２０４にデータが存在するか否かを判定する（ステップＳ３）。
【００４４】
この場合は、光ディスク１には、前述したように前記スクランブルに関する情報として
の前記スクランブルされたデータの復号方法と該復号方法により復号を行うためのパスワ
ードと前記スクランブルを行っているタイトルナンバーとが記録されており、リードアウ
ト外領域２０４にはデータが存在することになるので、システムコントローラ２２のタイ
トルナンバー格納手段２２３は、スクランブルを行っているタイトルナンバーを、光ピッ
クアップ２によりリードアウト外領域２０４から読み出してデジタル信号処理部８を介し
てバッファメモリ２８に格納する（ステップＳ４）。
【００４５】
そして、システムコントローラ２２のタイトル判定手段２２４は、バッファメモリ２８
に格納されたタイトルナンバーを認識し、再生しようとするタイトルが該当タイトルであ
るか否かを判定し（ステップＳ５）、再生しようとするタイトルが該当タイトルであると
判定された場合、該当タイトルの再生開始時に、パスワード判定手段２２５により、パス
ワードがリードアウト外領域２０４から読み出され、そのパスワードとユーザのリモコン
２１の操作により入力されたパスワードとが一致したと判定された場合に（ステップＳ６
）、復号手段２２６は、リードアウト外領域２０４から復号方法を読み出して、前記スク
ランブルされたデータを前記復号方法に基づいて復号する（ステップＳ７）。前記スクラ
ンブルされたデータが復号された後は、該当タイトルの再生が再生開始手段２２７により
開始され（ステップＳ８）、再生が終了すると（ステップＳ９）、本処理は終える。
【００４６】
一方、スクランブルされたデータが記録されていない光ディスクに対しての処理は、デ
ータにスクランブルをかけていないので、ステップＳ１のＮｏの処理を行い、また、リー
ドアウト外領域にデータが存在しないので、ステップＳ３のＮｏの処理を行い、その後、
ステップＳ８の再生開始処理に移る。また、再生タイトルが該当タイトルでない場合も（
ステップＳ５）、ステップＳ８の再生開始処理に移る。
【００４７】
以上説明したように本実施形態によれば、スクランブルに関する情報を規格上使用され
ないリードアウト外領域に記録するため、データ構造に影響を与えることがなく、ユーザ
以外の他人に見られたくない映像を保護することができ、しかも、スクランブルに関する
データも暗号化されるので、保護の精度が高くて、ユーザにとっては信頼性が高くなる。
また、スクランブルをかけているタイトルを他の光ディスク記録再生装置や光ディスク再
生装置で再生しても正常な映像が再生されないだけであり、スクランブルをかけていない
タイトルの再生を他の光ディスク記録再生装置や光ディスク再生装置で行った時に映像に
悪影響を与えないので、ユーザにとっては使い勝手が良いものとなる。また、スクランブ
ルに関する情報を規格上使用されないリードアウト外領域に記録するため、規格上使用さ
れる領域を有効に使用できる。
【図面の簡単な説明】
【００４８】
【図１】本発明の一実施形態に係る光ディスク記録再生装置の構成を示すブロック図である。
【図２】前記実施形態において書き込み可能または書き換え可能な光ディスクの記録状態を示す模式図である。
【図３】前記実施形態においてスクランブルに関する処理を説明するためのフローチャートである。
【符号の説明】
【００４９】
１    光ディスク
２２    システムコントローラ
２８    バッファメモリ
２０５    リードアウト外領域
２２１    リードアウト外領域記録手段
２２２    データ存在判定手段
２２３    タイトルナンバー格納手段
２２４    タイトル判定手段
２２５    パスワード判定手段
２２６    復号手段
２２７    再生開始手段
【図１】
2006236537.tif 000003
【図２】
2006236537.tif 000004
【図３】
2006236537.tif 000005